(57)【要約】      （修正有）【課題】釣針の針先保護と、針先による怪我、並びに引掻等の防止とを意図し、さらに針先に品質確保等を図った釣針カバーを提供する。【解決手段】係止ユニット２と、係止ユニットに連なり、縦孔７を備えた本体ユニット３とでなり、可撓性素材で構成する釣針カバー１で、係止ユニットは、同じ構造の他の釣針カバーの係止ユニットに連繋可能とし、係止ユニットは、係止手段として役立つ構造とする。また、本体ユニットに設けた縦孔には、釣針を収容可能とする構造とした釣針カバーであり、釣針の針先保護と、針先による怪我、並びに引掻等の防止とを図りつつ、さらに複数の針先を、確実、かつ個別に保護するとともに、この保護した状態で、この複数の針先を、一体形態で固定できる。【選択図】図１
0003193985.tif 000002
【実用新案登録請求の範囲】
【請求項１】
係止ユニットと、この係止ユニットに連なり、縦孔を備えた本体ユニットとでなり、可撓性素材で構成する釣針カバーであって、
この係止ユニットは、同じ構造の他の釣針カバーの係止ユニットに連繋可能とするとともに、この係止ユニットは、係止手段として役立つ構造とし、また、前記本体ユニットに設けた縦孔には、釣針を収容可能とする構造とした釣針カバー。
【請求項２】
前記係止ユニットを環状形状とし、その内周面に凹溝を設け、この凹溝には、前記環状形状でなる連繋リング部の外周面に設けた凸片を、嵌合、又は嵌脱可能とする構成とした請求項１に記載の釣針カバー。
【請求項３】
前記縦孔は、差込み側の始端から、差込み側終端に向かって、同じ孔構造であり、中心に縦孔を備えるとともに、この縦孔の両側に一文字孔を備える構成とした請求項１に記載の釣針カバー。
【請求項４】
前記係止ユニットと、前記本体ユニットとは、それぞれの立ち上り寸法を同じとするために、この本体ユニットの横断形状を、扁平形状とする構成とした請求項１に記載の釣針カバー。
【請求項５】
前記係止ユニットは、本体リング部と、この本体リング部より突出した連繋リング部とで構成し、この本体リング部に対して、連繋リング部を小径とし、当該本体リング部に、前記他の釣針カバーの連繋リング部が嵌合可能とする構成とした請求項１に記載の釣針カバー。
【考案の詳細な説明】
【技術分野】
【０００１】
本考案は、釣針の針先保護と、針先による怪我、並びに引掻等の防止とを意図しつつ、その他の利点が発揮できる構造の釣針バーを提案する。
【背景技術】
【０００２】
本考案の釣針カバーと、同じことを意図する先行文献として、次に挙げる発明、考案がある。しかし、これらの先行文献は、釣針の針先保護と、針先による怪我、並びに引掻等の防止とを意図（以下、意図する）するに留まっていると考えられる。
【０００３】
上記の意図を目的とする先行文献には、１：  釣針を中心孔とスリットとで保護する筒状のキャップと、キャップに設けた引張片の構造を開示している文献（１）として、特開２００３−１１６４３５号公報がある。２：  釣針の本体部（胴部）取付け用の挾持部と、この挾持部より分岐した複数本の枝部と、この枝部の自由端に設けた針先カバー用のキャップ体（倒筒部）とでなる構造を開示している文献（２）として、特開２００１−６１３９１号公報がある。また、３：  釣針の本体部（脚）取付け用の挾持部と、この挾持部より分離した、針先カバー用で、少なくとも二枚の板状を呈する鰭片部とでなる構造を開示している文献（３）として、特開昭５９−５０２０５３号公報がある。
前述した、文献（１）〜（３）は、筒状のキャップとか、二枚の板状の鰭片部で、針先を保護する構造であり、針先を単純な構造で保護する。従って、簡易に保護する構造であり、前記意図を達成するには、十分でない。また、その他の意図（目的）を達成することは、全く考慮しない。よって、本考案が意図する、下記の件に関しての開示は、全くない。即ち、本考案では、例えば、複数の針先を、個別に保護するとともに、この保護した状態で、この複数の針先を、一体形態で固定する所作、又は種々の品物、例えば、衣服、袋等のジッパー操作片や、品物の連繋リング部、紐に係止固定する所作とか、必要により、針先の乾燥、塩抜き等の品質確保を図ること、等は困難であり、一面的な釣針カバーと云える。
【０００４】
【特許文献１】特開２００３−１１６４３５号公報
【特許文献２】特開２００１−６１３９１号公報
【特許文献３】特開昭５９−５０２０５３号公報
【考案の概要】
【考案が解決しようとする課題】
【０００５】
前述した如く、文献（１）〜（３）は、何れも、単純に前記意図を達成するに留まる。従って、本考案が別に意図する内容に関しては、配慮されていないのが現況である。
【課題を解決するための手段】
【０００６】
上記に鑑み、本考案は、複数の針先を、個別に保護するとともに、この保護した状態で、この複数の針先を、一体形態で固定する所作、又は種々の品物、例えば、衣服、袋等のジッパー操作片や、品物の連繋リング部、紐に係止固定する所作とか、必要により、針先の乾燥、塩抜き等の品質確保を図ること、等の困難な問題解消、即ち、従来技術では不足していた、別の意図を達成するために、請求項１〜５を提案する。
【考案の効果】
【０００７】
請求項１の考案では、係止ユニットと、係止ユニットに連なり、縦孔を備えた本体ユニットとでなり、可撓性素材で構成する釣針カバーであって、
係止ユニットは、同じ構造の他の釣針カバーの係止ユニットに連繋可能とするとともに、係止ユニットは、係止手段として役立つ構造とし、また、本体ユニットに設けた縦孔には、釣針を収容可能とする構造とした釣針カバーであり、釣針の針先保護と、針先による怪我、並びに引掻等の防止とを図りつつ、さらに複数の針先を、確実、かつ個別に保護するとともに、この保護した状態で、この複数の針先を、一体形態で固定できること、又は種々の品物、例えば、衣服、袋等のジッパー操作片や、品物の連繋リング部、紐に係止固定できること、必要により、針先の乾燥、塩抜き等の品質確保が図れること、等の特徴がある。
【０００８】
請求項２の考案は、係止ユニットを環状形状とし、内周面に凹溝を設け、凹溝には、環状形状でなる連繋リング部の外周面に設けた凸片を、嵌合、又は嵌脱可能とする構成とした釣針カバーであり、請求項１の特徴を達成できることと、この特徴を達成するに有効な係止ユニットの構造を提供できる。
【０００９】
請求項３の考案は、縦孔は、差込み側の始端から、差込み側終端に向かって、同じ孔構造であり、中心に縦孔を備えるとともに、縦孔の両側に一文字孔を備える構成とした釣針カバーであり、請求項１の特徴を達成できることと、この特徴を達成するに有効な本体ユニットの縦孔の構造を提供できる。
【００１０】
請求項４の考案は、係止ユニットと、本体ユニットとは、それぞれの立ち上り寸法を同じとするために、本体ユニットの横断形状を、扁平形状とする構成とした釣針カバーであり、請求項１の特徴を達成できることと、この特徴を達成するに有効な係止・本体ユニットの構造を提供できる。
【００１１】
請求項５の考案は、係止ユニットは、本体リング部と、本体リング部より突出した連繋リング部とで構成し、本体リング部に対して、連繋リング部を小径とし、本体リング部に、他の釣針カバーの連繋リング部が嵌合可能とする構成とした釣針カバーであり、請求項１の特徴を達成できることと、この特徴を達成するに有効な係止ユニットの本体リンク部と連繋リンク部との構造を提供できる。
【図面の簡単な説明】
【００１２】
【図１】釣針カバーの全体を示した斜視図
【図２】釣針カバーの全体を示した平面図
【図３】釣針カバーの全体を示した裏面図
【図４】釣針カバーの全体を示した側面図
【図５】釣針カバーの全体を示した正面図
【図６−１】図３のＡ−Ａ断面図
【図６−２】図３のＢ−Ｂ断面図
【図７】釣針カバーの使用状態を示した俯瞰図
【図８】釣針カバーの別の使用状態を示した俯瞰図
【図９】釣針カバーの係止ユニットを、衣服のジッパー操作片に取付けた（係止する）使用状態を示した正面図
【図１０】釣針カバーの係止ユニットを、道具筐のジッパー操作片に取付けた使用状態を示した俯瞰図
【考案を実施するための形態】
【００１３】
図中１は可撓性素材でなる釣針カバーであり、釣針カバー１は、環状（平面視して、円形、又は方形等とする）の係止ユニット２と、筒状（全体視して、円形、又は方形等とする）の本体ユニット３とで構成する。この係止ユニット２は、本体リング部２ａと、本体リング部２ａより突出形成（膨出形成）し、かつ小径でなる連繋リング部２ｂとで構成するとともに、本体リング部２ａの環状内周面には、凹溝２００を形成し、また、連繋リング部２ｂの環状外周面には、凸条２０１を形成した構造である。尚、前記本体ユニット３は、扁平筒状でなっており、この扁平筒状は、前記本体リング部２ａより延設されており、括れ部５（肉薄・細幅繋ぎ部）を経由して、係止ユニット２に一体に形成されている。そして、この本体ユニット３（扁平筒状）の立ち上り寸法Ａは、係止ユニット２の立ち上り寸法Ｂと、略均等である。従って、図８の如く、二本の釣針６に、それぞれ釣針カバー１、１をセットした状態で、本体ユニット３、３が、同じ平面位置関係となり、セットの安定性と、美観の向上と、整頓の安定性等に有効である。また、括れ部５を設けることで、例えば、図９、図１０の如く、係止ユニット２を、それぞれのジッパー操作片１０（ジッパー引き手）に係止した時に、この括れ部５のクッション性と、釣針カバー１の可撓性素材とにより、衝撃時の係止ユニット２の外れ防止と、係止ユニット２への衝撃緩和、又は釣針６による怪我防止等に有効である。また、本体リング部２ａに対して、連繋リンク部２ｂを小径とする構造であり、図８の如く、二つの釣針カバー１、１を、重ね保持する際に、本体リンク部２ａに連繋リング部２ｂを、嵌合できる。この方法においては、この図例の如く、二本の釣針６、６を固定した状態で、針先６ａ、６ａを保護できる。この嵌合を利用して、多数の釣針カバー１を、嵌合して保管できる特徴がある。
また、本体ユニット３には、釣針６の針先６ａの進入を許す縦孔７（丸孔）が、この本体ユニット３の差込み側３００の始端３００ａより、終端３００ｂに向かって開設されているとともに、差込み側３００の幅方向（本体ユニット３の扁平方向と交差する方向）に向かって、一文字孔８、８（切欠き溝）が形成されている。この一文字孔８、８は、縦孔７に針先６ａが差込まれる際に拡開等して、スムースな差込み補助と、縦孔７の開きを保証しつつ、亀裂防止等に有効である。一文字孔８、８は、縦孔７と同じように、差込み側３００の始端３００ａより、終端３００ｂに向かって開設されている。また、一文字孔８、８は、針先６ａの太さ、及び／又は、その大きさの大小等に対応できること、利便性を備えること等の特徴がある。
【００１４】
図中１１は本体ユニット２に一個、又は複数個設けた孔であり、この孔１１は、本体ユニット３の立ち上り方向で、かつ縦孔７に繋がるように形成されており、空気の流れを利用し、例えば、針先６ａの乾燥と、塩抜き、又は錆防止等に役立てる。この孔１１は、成形時に、成形される。
【００１５】
釣針６を、釣針カバー１に、差込み収容する一例を、図７と図８に基づいて説明すると、釣針６の針先６ａを、縦孔７と一文字孔８とから差込む。具体的には、本体ユニット３の差込み側３００の始端３００ａより、終端３００ｂに向かって、順次、差込んでいく、この際に、針先６ａを、主として、縦孔７より差込みながら、一文字孔８を拡開しながら、針先６ａに続く針先本体部６ｂを受入れることで、図７等の図示のように、スムースに、縦孔７、及び／又は、一文字孔８に針先６ａと針先本体部６ｂとを受入れる構造である。また、図８の例では、前述したが、二つの釣針６を、釣針カバー１、１で保護し、かつ係止ユニット２、２を利用して、この二つの釣針カバー１、１を一体にして保管する状態を示している。
【００１６】
係止ユニット２の他の利用の一例としては、図９と図１０に示した如く、衣服のジッパー操作片１０に被嵌係止して釣針６とか、小物等の支持に利用される。また、アクセサリーとか、標識等としての利用も考えられる。また、図１０は、図９と同じ利用である。
【００１７】
前述した各構造は、本考案の好ましい一例の説明である。従って、本考案は上述した各実施例に限定されるものではなく、考案の趣旨の範囲において構成の一部を変更する構造とか、同じ特徴と効果を達成できる構造、等は、本考案の範疇である。
【符号の説明】
【００１８】
１  釣針カバー
２  係止ユニット
２ａ  本体リング部
２ｂ  連繋リング部
２００  凹溝
２０１  凸条
３  本体ユニット
３００  差込み側
３００ａ  始端
３００ｂ  終端
５  括れ部
６  釣針
６ａ  針先
６ｂ  針先本体部
７  縦孔
８  一文字孔
１０  ジッパー操作片
１１  孔
Ａ  立ち上り寸法
Ｂ  立ち上り寸法
【図１】
0003193985.tif 000003
【図２】
0003193985.tif 000004
【図３】
0003193985.tif 000005
【図４】
0003193985.tif 000006
【図５】
0003193985.tif 000007
【図６−１】
0003193985.tif 000008
【図６−２】
0003193985.tif 000009
【図７】
0003193985.tif 000010
【図８】
0003193985.tif 000011
【図９】
0003193985.tif 000012
【図１０】
0003193985.tif 000013